(57)【特許請求の範囲】
【請求項１】
集合住宅の集合玄関に設置された集合玄関機と、集合住宅の各戸内に設置された複数のインターホンとを備え、前記集合玄関機から特定のインターホンに対する呼出要求に応じ、該特定のインターホン側において該呼出要求に対応した報知を行い、その後少なくとも該集合玄関機と該特定のインターホンとの間の通話を可能とする集合住宅インターホン装置において、
前記集合玄関機は、
少なくとも各戸の戸番号と各戸のインターホンに固有の暗証番号との入力を行う入力手段を備え、
前記複数のインターホンは、
自戸番号と自インターホンに固有の暗証番号とを保持する保持手段と、
戸番号の入力による呼出によって前記通話を許可する通常モードと暗証番号の入力による呼出によって前記通話を許可する照合モードとを含む設定モードの切り替えを行うモード切替手段と、
タイマと、
前記タイマのタイムアウト時間と前記設定モードとを設定する設定手段と、
前記設定手段によって設定されたタイムアウト時に、前記設定モードを解除する切替制御を行う制御手段と、
を備えたことを特徴とする集合住宅インターホン装置。
【請求項２】
前記制御手段は、前記設定手段によって設定されたタイムアウト時間後に前記呼出に対応する報知音の音量および／またはメロディーを変化させることを特徴とする請求項１に記載の集合住宅インターホン装置。
【請求項３】
前記制御手段は、前記設定手段によって設定されたタイムアウト時間後に前記呼出に対応する報知光の光量および／または点灯状態を変化させることを特徴とする請求項１に記載の集合住宅インターホン装置。
【請求項４】
前記制御手段は、前記設定手段によって設定されたタイムアウト時間が経過した旨を報知することを特徴とする請求項１に記載の集合住宅インターホン装置。
【請求項５】
前記集合玄関機は、
訪問者の音声あるいは画像を含む情報を収集する情報収集手段と、
呼び出したインターホンの設定モードが前記照合モードであって前記暗証番号の入力がなかった場合に前記情報手段による情報収集の案内をさせる案内制御手段とを備え、
前記複数のインターホンは、
前記情報収集手段によって収集された情報を保持する情報保持手段と、
前記情報保持手段によって保持された情報を出力する情報出力手段とを備えたことを特徴とする請求項１〜４のいずれか一つに記載の集合住宅インターホン装置。
【請求項６】
前記情報保持手段は、前記集合玄関機内に設けられることを特徴とする請求項５に記載の集合住宅インターホン装置。
【請求項７】
前記制御手段は、前記照合モード設定時に、暗証番号の入力有無あるいは暗証番号の間違い有無あるいは間違い回数によって報知方法、報知内容あるいは報知量を変化させることを特徴とする請求項１〜６のいずれか一つに記載の集合住宅インターホン装置。
【請求項８】
前記設定手段によって設定されるモードに居留守モードを設け、
前記制御手段は、全ての呼出に対して強制的に応答させない制御を行うことを特徴とする請求項１〜７のいずれか一つに記載の集合住宅インターホン装置。
【発明の詳細な説明】
【０００１】
【発明の属する技術分野】
この発明は、マンションなどの集合住宅において用いられる集合住宅インターホン装置に関するものである。
【０００２】
【従来の技術】
従来から、マンションなどの集合住宅に設置されている集合住宅インターホン装置では、集合住宅に入館する際、部屋（戸）番号をキー入力するとこの戸番号の内線が呼び出され、この呼出に応答した居住者は、入口に設置された監視カメラなどの撮像装置によって来訪者をモニタして確認し、その後入口を開けるようにしている。
【０００３】
この従来の集合住宅インターホン装置では、居住者は全ての訪問者の呼出に対して逐一応答しなければならなかった。セールスやいたずらなどを目的とした予約なしの訪問者の呼出にも応答しなくてはならず、居住者の生活環境を妨害するなどの弊害が生じていた。
【０００４】
そこで、来訪者に対し、戸番号の入力に続いて、暗証番号を入力させ、この入力した暗証番号が予め登録した戸に固有の暗証番号とを比較照合し、入力した暗証番号と登録された暗証番号とが一致した場合、真の訪問者として判断して居住者の内線を呼び出し、入力した暗証番号と登録した暗証番号とが一致しない場合、真の訪問者ではないと判断して居住者の内線を呼び出さないようにする集合住宅インターホン装置がある（特開平５−６８１０７号公報参照）。
【０００５】
【発明が解決しようとする課題】
しかしながら、上述した従来の集合住宅インターホン装置では、訪問者に暗証番号の入力を強要するモード（認証モード）と強要しないモード（通常モード）とを手動スイッチで切り替えるようにしているため、認証モードに設定されたままの状態になる場合が生起し、この場合、暗証番号を知らないけれど居住者にとっての正規の訪問者、たとえば新聞の集金を行う訪問者や宅配便を届ける訪問者は訪問することができないという問題点があった。
【０００６】
また、この場合、居住者は暗証番号を知らない正規の訪問者による訪問があった事実を知ることができないという問題点があった。さらにこのため、暗証番号を知らない正規の訪問者が何度訪問しても居住者は応答できず、暗証番号を知らない正規の訪問者は、この居住者に対して居住者不在として取り扱い、居住者にとって適時適切な訪問を受けることができないという問題点があった。
【０００７】
この発明は、上述した従来技術による問題点を解消するため、居住者の意思を反映した設定モード切替を確実に行うことができるとともに、暗証番号を知らない正規の訪問者による訪問があったことを居住者が知ることができる集合住宅インターホン装置を提供することを目的とする。
【０００８】
【課題を解決するための手段】
上述した課題を解決し、目的を達成するため、請求項１にかかる集合住宅インターホン装置は、集合住宅の集合玄関に設置された集合玄関機と、集合住宅の各戸内に設置された複数のインターホンとを備え、前記集合玄関機から特定のインターホンに対する呼出要求に応じ、該特定のインターホン側において該呼出要求に対応した報知を行い、その後少なくとも該集合玄関機と該特定のインターホンとの間の通話を可能とする集合住宅インターホン装置において、前記集合玄関機は、少なくとも各戸の戸番号と各戸のインターホンに固有の暗証番号との入力を行う入力手段を備え、前記複数のインターホンは、自戸番号と自インターホンに固有の暗証番号とを保持する保持手段と、戸番号の入力による呼出によって前記通話を許可する通常モードと暗証番号の入力による呼出によって前記通話を許可する照合モードとを含む設定モードの切り替えを行うモード切替手段と、タイマと、前記タイマのタイムアウト時間と前記設定モードとを設定する設定手段と、前記設定手段によって設定されたタイムアウト時に、前記設定モードを解除する切替制御を行う制御手段とを備えたことを特徴とする。
【０００９】
請求項１の発明によれば、設定手段によってタイマのタイムアウト時間と設定モードとを設定し、制御手段がタイムアウト時に、自動的に前記設定モードを解除する切替制御を行うようにし、設定モードの解除忘れを防止できるようにしている。
【００１８】
また、請求項２にかかる集合住宅インターホン装置は、上記の発明において、前記制御手段は、前記設定手段によって設定されたタイムアウト時間後に前記呼出に対応する報知音の音量および／またはメロディーを変化させることを特徴とする。
【００１９】
請求項２の発明によれば、制御手段が、設定手段によって設定されたタイムアウト時間後に呼出に対応する報知音の音量および／またはメロディーを変化させるようにしている。
【００２０】
また、請求項３にかかる集合住宅インターホン装置は、上記の発明において、前記制御手段は、前記設定手段によって設定されたタイムアウト時間後に前記呼出に対応する報知光の光量を所定値に低減することを特徴とする。
【００２１】
請求項３の発明によれば、制御手段が、設定手段によって設定されたタイムアウト時間後に呼出に対応する報知光の光量および／または点灯状態を変化させるようにしている。
【００２２】
また、請求項４にかかる集合住宅インターホン装置は、上記の発明において、前記制御手段は、前記設定手段によって設定されたタイムアウト時間が経過した旨を報知することを特徴とする。
【００２３】
請求項４の発明によれば、制御手段が、設定手段によって設定されたタイムアウト時間が経過した旨を報知するようにしている。
【００２４】
また、請求項５にかかる集合住宅インターホン装置は、上記の発明において、前記集合玄関機は、訪問者の音声あるいは画像を含む情報を収集する情報収集手段と、呼び出したインターホンの設定モードが前記照合モードであって前記暗証番号の入力がなかった場合に前記情報手段による情報収集の案内をさせる案内制御手段とを備え、前記複数のインターホンは、前記情報収集手段によって収集された情報を保持する情報保持手段と、前記情報保持手段によって保持された情報を出力する情報出力手段とを備えたことを特徴とする。
【００２５】
請求項５の発明によれば、集合玄関機側において、案内制御手段による案内をもとに、情報収集手段が、訪問者の音声あるいは画像を含む情報を収集し、インターホン側においてこの情報を保持し、出力することができるようにしている。
【００２６】
また、請求項６にかかる集合住宅インターホン装置は、上記の発明において、前記情報保持手段は、前記集合玄関機内に設けられることを特徴とする。
【００２７】
請求項６の発明によれば、情報保持手段を、集合玄関機内に設け、各インターホンの情報を一括して保持するようにしている。
【００２８】
また、請求項７にかかる集合住宅インターホン装置は、上記の発明において、前記制御手段は、前記照合モード設定時に、暗証番号の入力有無あるいは暗証番号の間違い有無あるいは間違い回数によって報知方法、報知内容あるいは報知量を変化させることを特徴とする。
【００２９】
請求項７の発明によれば、制御手段が、照合モード設定時に、暗証番号の入力有無あるいは暗証番号の間違い有無あるいは間違い回数によって報知方法、報知内容あるいは報知量を変化させようにしている。
【００３０】
また、請求項８にかかる集合住宅インターホン装置は、上記の発明において、前記設定手段によって設定されるモードに居留守モードを設け、前記制御手段は、全ての呼出に対して強制的に応答させない制御を行うことを特徴とする。
【００３１】
請求項８の発明によれば、設定手段によって設定されるモードに居留守モードを設け、制御手段が、全ての呼出に対して強制的に応答させない制御を行うようにしている。
【００３２】
【発明の実施の形態】
以下に添付図面を参照して、この発明にかかる集合住宅インターホン装置について説明する。
【００３３】
（実施の形態１）
まず、この発明の実施の形態１について説明する。図１は、この発明の実施の形態１である集合住宅インターホン装置の構成を示すブロック図である。図１において、この集合住宅インターホン装置は、集合玄関機１と複数のインターホン２−１〜２−ｎとが通信線Ｎによって接続される。
【００３４】
集合玄関機１は、マンションなどの集合住宅の集合玄関に配置され、訪問者が呼び出したい住戸の戸番号、さらには暗証番号などの入力指定を行い、この指定された戸番号のインターホン２−１〜２−ｎを呼び出すことによって、訪問者は居住者と通話することができる。各インターホン２−１〜２−ｎは、集合玄関機１からの呼出を受けて集合玄関機１の近傍に居る訪問者と通話することができる。
【００３５】
図１において、集合玄関機１は通信Ｉ／Ｆ部１１を介して通信線Ｎに接続され、各インターホン２−１〜２−ｎは通信Ｉ／Ｆ部２１を介して通信線Ｎに接続される。集合玄関機１内では、通信線Ｎ１を介し、通信Ｉ／Ｆ部１１、テンキーなどの各種キーなどによって実現される入力部１２、スピーカ１３、マイク１４、画像撮像部１５、およびＣＰＵなどによって実現される制御部１０を有する。なお、スピーカ１３およびマイク１４を一体化したハンドセットとしてもよい。
【００３６】
一方、各インターホン２−１〜２−ｎは、通信線Ｎ２を介し、通信Ｉ／Ｆ部２１、テンキーなどの各種キーなどによって実現される入力部２２、ＣＰＵなどによって実現される制御部２０、ハンドセット２３、呼出音発生部２４、画像撮像部１５によって撮像された画像を出力するモニタ２５、呼出があったことを光の変化によって報知する発光部２６、入力部２２の設定部２２ａによって設定されたタイムアウト時間２７ａと設定モード２７ｂとを保持する設定保持部２７、自インターホンの戸番号２８ａおよび暗証番号２８ｂを保持する保持部２８、各モードの処理内容が記述された通常モード２９ａと照合モード２９ｂと居留守モード２９ｃと各モードの切替処理を行うモード切替部２９ｓとを有したモード処理部２９、およびタイマ３０を有する。
【００３７】
ここで、上述した集合住宅インターホン装置の動作について説明する。まず、入力部２２の設定部２２ａによって自インターホン２−１の戸番号および自インターホン２−１に固有の暗証番号を入力し、保持部２８の戸番号２８ａおよび暗証番号２８ｂとして保持させる。
【００３８】
モード処理部２９は、制御部２０の制御のもとに各モードの処理と各モードの切替処理を行う。通常モード２９ａでは、自インターホン２−１が設置される住戸の戸番号が集合玄関機１から入力されることによって、呼出音発生部２４からチャイムなどの呼出音を出力させるとともに、発光部２６の発光を点滅させる等によって呼出があったことを報知する。その後、ハンドセット２３のオフフックによってモニタ２５に画像撮像部１５が撮像した画像を表示出力させるとともに、集合玄関機１側との通話を可能にする処理を行う。
【００３９】
照合モード２９では、集合玄関機１側からの戸番号のみでなく、集合玄関機１側で入力された暗証番号と自インターホン２−１の暗証番号２８ｂとが一致した場合にのみ上述した呼出音を鳴動させ、その後通常モード２９ａと同じ処理を行わせる。一方、居留守モード２９ｃでは、如何なる集合玄関機１からの入力があっても応答しないようにする。
【００４０】
設定部２２ａからは、居住者の意思によって現在時点から設定するモードを指定し、設定モード２７ｂとして保持させるとともに、この設定モード２７ｂを継続する所定時間であるタイムアウト時間２７ａを指定する。このタイムアウト時間の設定によってタイマ３０が起動し、タイムアウト時間２７ａ経過時にモード切替部２９ｓを起動させ、設定されたモードから通常設定されているモードに復帰させる切替を行わせる。たとえば、通常設定されるモードが通常モード２９ａであって、設定部２２ａによって設定される設定モード２７ｂが照合モード２９ｂである場合、設定時点からタイムアウト時間の間は、照合モード２９ｂとしてインターホン２−１が動作し、タイムアウト時間経過後に設定解除され、通常モード２９ａに自動的に復帰する。したがって、居住者は通常モードに設定されていると思っているにもかかわらず、実際は照合モードになっており、設定解除されていないことから、その間に、暗証番号を知らない訪問者が訪問できなくなるという問題を解消することができる。
【００４１】
ここで、集合玄関機１に訪問者が訪れた場合、訪問者は入力部１２に訪問先の戸番号を入力する。この際、インターホン２−１が通常モードに設定されている場合は、呼出音発生部２４からの呼出音および発光部２６の発光によって呼出が報知され、その後訪問者と居住者とが通話などを行うことができる。
【００４２】
一方、インターホン２−１が認証モードに設定されている場合、集合玄関機１側では、さらに暗証番号の入力が要求され、この暗証番号がインターホン２−１側に伝送される。インターホン２−１は、入力された暗証番号と保持部２８に保持された暗証番号２８ｂとを比較照合し、一致した場合に、呼出音発生部２４からの呼出音および発光部２６の発光によって呼出が報知され、その後訪問者と居住者とが通話などを行うことができる。これに対し、入力された暗証番号が保持部２８に保持された暗証番号２８ｂと異なる場合、呼出音発生部２４および発光部２６の動作を停止させ、居住者に応答させないようにする。
【００４３】
また、インターホン２−１が居留守モードに設定されている場合、集合玄関機１から戸番号や暗証番号が入力されていたとしても、一切インターホン２−１側は応答動作を行わせない。
【００４４】
なお、上述した通常モード、照合モード、居留守モードの他に各種のモードを設定するようにしてもよい。たとえば、通常呼出音の音量で報知する通常音量モードと通常呼出音の音量に比して小さい音量で報知する小音量モードとを設けても良い。これらのモードは、各カテゴリのモードとの組合せによって設定することができる。また、呼出音のメロディーを指定するモードや発光部の発光変化あるいは発光量を指定するモードなどを通常モード、照合モード、居留守モードに組み合わせてもよいし、タイマ３０を用いて独自にモード切替を行うようにしてもよい。
【００４５】
さらに、照合モードにおいて、暗証番号が入力されなかった場合や暗証番号が入力されたが間違った暗証番号であった場合、さらに間違った暗証番号の入力回数に応じて、それぞれ呼出音のメロディーや発光変化などを割り当てておくようにしてもよい。
【００４６】
また、睡眠時などにおいて、通常モードや認証モードであっても、発光部２６による報知のみを行わせ、呼出音を発生させない組合せを設定できるようにしてもよい。
【００４７】
この実施の形態１では、タイマ３０を用い、設定部２２ａによって入力された設定モード２７ｂをタイムアウト時間２７ａまで維持し、タイムアウト時間２７ａ時に設定モード２７ｂの設定解除を行って、通常設定されるモードに自動切替されるようにしているので、居住者は設定解除を忘れることがなく、居住者の意思に合致したモードにインターホンが設定される。特に、照合モードや居留守モードなどのように、居住者が設定状態を認識することが困難な状況に陥って、郵便や新聞の集金者などの訪問者のような、暗証番号を知らない正規の訪問者が訪問できないことを居住者が知らないという状況をなくすることができる。
【００４８】
なお、小音量モードは、呼出音が小音量になるのみで、居住者は小音量モードであることを認識できるため、たとえば、タイムアウト時間後通常モードに切り替えるようにすることができる。
【００４９】
（実施の形態２）
つぎに、この発明の実施の形態２について説明する。上述した実施の形態１では、タイマ３０を用い、タイムアウト時間２７ａ時に設定モード２７ｂの設定解除を行うようにしていたが、この実施の形態２では、タイマ３０に代えて時間を計時する計時部４０を設け、所定期間のみ設定モード２７を維持させるようにしている。
【００５０】
図２は、この発明の実施の形態２である集合住宅インターホン装置の構成を示すブロック図である。図２において、この集合住宅インターホン装置は、実施の形態１に示したタイマ３０に代えて計時部４０を設けるとともに、設定保持部２７が保持するタイムアウト時間２７ａに代えて所定期間４７ａが保持されるようにしている。その後の構成は実施の形態１と同じであり、同一構成部分には同一符号を付している。
【００５１】
設定部２２ａは、所望の設定モード２７ｂに設定したい所定期間４７ａを設定し、設定保持部２７にこの所定期間を４７ａを保持させる。計時部４０は、この所定期間４７ａの開始時刻になるとモード処理部２９に通知し、モード切替部２９ｓは、インターホン２−１の設定モードを通常設定されているモードから、設定モード２７ａに切り替え、所定期間４７ａの終止時刻になるとモード処理部２９に通知し、モード切替部２９ｓは、インターホン２−１の設定モードを設定モード２７ａから、通常設定されているモードに切り替える。
【００５２】
この所定期間４７ａは、一時的な所定期間であってもいいし、１日のうちの所定時間であってもよい。さらに、一週間単位、月単位、年単位で所定期間を設定するようにしてもよい。たとえば、就寝から起床の睡眠期間を所定期間４７ａに設定し、その間を照合モード２９ｂや居留守モード２９ｃに設定することができる。
【００５３】
なお、所定期間４７ａが日単位で設定されている場合には、たとえば所定期間４７ａの開始時刻と終止時刻とにモードが切り替えられる旨あるいは切り替えられたモード内容を音声などで報知するようにしてもよい。この場合、この音声などの報知を行う図示しない報知部を設けておくとよい。
【００５４】
また、上述した実施の形態２では、所定期間４７ａを設定し、所定期間４７ａの開始時刻と終止時刻との間を設定モード２７ｂに設定するようにしたが、これに限らず、たとえば所定時刻のみを設定するようにしてもよい。この場合、所定時刻に到達した場合、所定時刻後、設定モード２７ｂに変更し、その後に他の設定変更処理が設定されることを除き、設定モード２７ｂを維持するようにする。すなわち、実施の形態１では、現時点からタイムアウト時間までを設定モードに変更するのに対し、所定時刻を設定する実施の形態２では、所定時刻後を設定モードに変更するようにしている。
【００５５】
この実施の形態２では、時計部４０を用いて所定期間４７ａの間、あるいは所定時刻以降の間、設定モードに自動切替するようにしているので、さらに微細かつ柔軟な設定モードの自動設定が可能になる。
【００５６】
（実施の形態３）
つぎに、この発明の実施の形態３について説明する。上述した実施の形態１，２では、タイマ３０や計時部４０を用いて、たとえば照合モードから通常モードへの解除設定を忘れないようにしていたが、この実施の形態３では、照合モードや居留守モードであって呼出ができないときであっても、訪問者が来訪したことを居住者が知ることができるようにしている。
【００５７】
図３は、この発明の実施の形態３である集合住宅インターホン装置の構成を示すブロック図である。図３において、この集合住宅インターホン装置は、実施の形態１の構成において、集合玄関機１側が案内情報保持部１６と制御部１０内に案内制御部１０ａとを有し、インターホン２−１〜２−ｎ側に情報保持部５０を有している。その他の構成は実施の形態１と同じであり、同一構成部分には同一符号を付している。
【００５８】
図３において、暗証番号を知らない正規の訪問者が来訪した場合、集合玄関機１の案内制御部１０ａは、案内情報保持部１６に格納されている案内情報をもとにこの正規の訪問者に伝言などを残すように音声などによってガイダンスする。このガイダンスをもとに正規の訪問者は、入力部１２を操作し、必要な伝言を発し、この伝言はインターホン２−１側の情報保持部５０に格納される。この場合、インターホン２−１側では一切訪問者には応答しないで済む。また、この際、画像撮像部１５は来訪者の画像を撮像し、その画像情報を情報保持部５０に格納する。
【００５９】
その後、インターホン２−１側では、たとえば、伝言が残されていることを発光部２６の発光変化などによって知り、情報保持部５０に残された伝言を再生し、訪問者の来訪があり、来訪の内容を知ることができる。
【００６０】
なお、図４は、この発明の実施の形態３である集合住宅インターホン装置の変形例の構成を示すブロック図である。図３に示した集合住宅インターホン装置では、情報保持部５０を各インターホン２−１〜２−ｎ側に設けるようにしたが、図４に示した集合住宅インターホン装置では、集合玄関機１側に情報保持部５０に対応する情報保持部６０を設けるようにしている。この結果、情報保持部６０に各インターホン２−１〜２−ｎに対する伝言などの情報が一括して格納されることになり、効率的なシステム運用が可能となる。
【００６１】
この実施の形態３では、照合モードや居留守モードなどの設定時に、暗証番号を知らない正規の訪問者が居住者に確実に伝言などの情報を伝えることができるとともに、居住者も正規の訪問者の来訪があったことを知ることができる。すなわち、モード設定状態にかかわらず、訪問者と居住者とのコミュニケーションを最低限なんらかの形で残すことができる。
また、本発明にかかる集合住宅インターホン装置は、集合住宅の集合玄関に設置された集合玄関機と、集合住宅の各戸内に設置された複数のインターホンとを備え、前記集合玄関機から特定のインターホンに対する呼出要求に応じ、該特定のインターホン側において該呼出要求に対応した報知を行い、その後少なくとも該集合玄関機と該特定のインターホンとの間の通話を可能とする集合住宅インターホン装置において、前記集合玄関機は、少なくとも各戸の戸番号と各戸のインターホンに固有の暗証番号との入力を行う入力手段を備え、前記複数のインターホンは、自戸番号と自インターホンに固有の暗証番号とを保持する保持手段と、戸番号の入力による呼出によって前記通話を許可する通常モードと暗証番号の入力による呼出によって前記通話を許可する照合モードとを含む設定モードの切り替えを行うモード切替手段と、時刻を計時する計時手段と、所定期間と前記設定モードとを設定する設定手段と、前記設定手段によって設定された所定期間の開始時刻に、前記設定モードに設定し、前記所定期間の終止時刻に前記設定モードの設定解除を行う制御手段とを備えたことを特徴とする。
本発明によれば、制御手段が、設定手段によって設定された所定期間の開始時刻に設定モードに設定し、前記所定期間の終止時刻に前記設定モードの設定解除を行うようにしている。
また、本発明によれば、制御手段が、設定手段によって設定された所定期間の開始時刻に設定モードに設定し、前記所定期間の終止時刻に前記設定モードの設定解除を行うようにしているので、居住者の意思に合致する設定モードを所定期間に限り設定でき、詳細かつ柔軟なモード設定を行うことができるとともに、設定解除忘れを確実になくすことができるという効果を奏する。
また、本発明にかかる集合住宅インターホン装置は、集合住宅の集合玄関に設置された集合玄関機と、集合住宅の各戸内に設置された複数のインターホンとを備え、前記集合玄関機から特定のインターホンに対する呼出要求に応じ、該特定のインターホン側において該呼出要求に対応した報知を行い、その後少なくとも該集合玄関機と該特定のインターホンとの間の通話を可能とする集合住宅インターホン装置において、前記集合玄関機は、少なくとも各戸の戸番号と各戸のインターホンに固有の暗証番号との入力を行う入力手段を備え、前記複数のインターホンは、自戸番号と自インターホンに固有の暗証番号とを保持する保持手段と、戸番号の入力による呼出によって前記通話を許可する通常モードと暗証番号の入力による呼出によって前記通話を許可する照合モードとを含む設定モードの切り替えを行うモード切替手段と、時刻を計時する計時手段と、所定時刻と前記設定モードとを設定する設定手段と、前記設定手段によって設定された所定時刻に、前記設定モードの設定解除を行う制御手段とを備えたことを特徴とする。
本発明によれば、制御手段が、設定手段によって設定された所定時刻に、設定モードの設定解除を行うようにし、設定モードの解除忘れを防止している。
また、本発明によれば、制御手段が、設定手段によって設定された所定時刻に、設定モードの設定解除を行うようにし、設定モードの解除忘れを防止しているので、居住者の意思に合致しない設定モード状態になることを確実に防止することができるという効果を奏する。
また、本発明にかかる集合住宅インターホン装置は、上記の発明において、前記設定手段は、前記タイムアウト時間あるいは前記所定期間を設定し、前記制御手段は、前記設定手段によって設定されたタイムアウト時間までの間あるいは前記所定期間、前記照合モードを維持し、該タイムアウト時あるいは前記所定期間の終止時刻に前記通常モードに復帰させる切替制御を行うことを特徴とする。
本発明によれば、設定手段が、前記タイムアウト時間あるいは前記所定期間を設定し、制御手段が、前記設定手段によって設定されたタイムアウト時間までの間あるいは前記所定期間、前記照合モードを維持し、該タイムアウト時あるいは前記所定期間の終止時刻に前記通常モードに復帰させる切替制御を行い、居住者が通常モードと認識しているにもかかわらず、実際には照合モードであるという不一致をなくすようにしている。
また、本発明によれば、設定手段が、前記タイムアウト時間あるいは前記所定期間を設定し、制御手段が、前記設定手段によって設定されたタイムアウト時間までの間あるいは前記所定期間、前記照合モードを維持し、該タイムアウト時あるいは前記所定期間の終止時刻に前記通常モードに復帰させる切替制御を行い、居住者が通常モードと認識しているにもかかわらず、実際には照合モードであるという不一致をなくすようにしているので、居住者の意思に反して、宅配便などの配達の訪問者など、暗証番号を知らない正規の訪問者が何度訪問しても居住者不在扱いになることを防止することができるという効果を奏する。
また、本発明にかかる集合住宅インターホン装置は、上記の発明において、前記設定手段は、前記所定時刻を設定し、前記制御手段は、前記所定時刻に、前記通常モードに復帰させる切替制御を行うことを特徴とする。
本発明によれば、設定手段が、所定時刻を設定し、制御手段が、前記所定時刻に通常モードに復帰させる切替制御を行い、居住者が通常モードと認識しているにもかかわらず、実際には照合モードであるという不一致をなくすようにしている。
また、本発明によれば、設定手段が、所定時刻を設定し、制御手段が、前記所定時刻に通常モードに復帰させる切替制御を行い、居住者が通常モードと認識しているにもかかわらず、実際には照合モードであるという不一致をなくすようにしているので、居住者の意思に反して、宅配便などの配達の訪問者など、暗証番号を知らない正規の訪問者が何度訪問しても居住者不在扱いになることを防止することができるという効果を奏する。
【００６２】
【発明の効果】
以上説明したように、請求項１の発明によれば、設定手段によってタイマのタイムアウト時間と設定モードとを設定し、制御手段がタイムアウト時に、自動的に前記設定モードを解除する切替制御を行うようにし、設定モードの解除忘れを防止できるようにしているので、居住者の意思に合致しない設定モード状態になることを確実かつ簡易に防止することができるという効果を奏する。
【００６７】
また、請求項２の発明によれば、制御手段が、設定手段によって設定されたタイムアウト時間後に呼出に対応する報知音の音量および／またはメロディーを変化させるようにしているので、居住者は現在の設定モード状態あるいは設定モード変化を知ることができ、居住者の予期しない設定モード状態になることを防止することができるという効果を奏する。
【００６８】
また、請求項３の発明によれば、制御手段が、設定手段によって設定されたタイムアウト時間後に呼出に対応する報知光の光量および／または点灯状態を変化させるようにしているので、居住者は現在の設定モード状態あるいは設定モード変化を知ることができ、居住者の予期しない設定モード状態になることを防止することができるという効果を奏する。
【００６９】
また、請求項４の発明によれば、制御手段が、設定手段によって設定されたタイムアウト時間が経過した旨を報知するようにしているので、居住者は現在の設定モード状態を知ることができ、居住者の予期しない設定モード状態になることを防止することができるという効果を奏する。
【００７０】
また、請求項５の発明によれば、集合玄関機側において、案内制御手段による案内をもとに、情報収集手段が、訪問者の音声あるいは画像を含む情報を収集し、インターホン側においてこの情報を保持し、出力することができるようにしているので、照合モード時に暗証番号を知らない正規の訪問者が訪問した場合であっても、後ほど、居住者は、正規の訪問者の訪問があったことを知ることができ、しかも訪問内容をも知ることができるという効果を奏する。
【００７１】
また、請求項６の発明によれば、情報保持手段を、集合玄関機内に設け、各インターホンの情報を一括して保持するようにしているので、効率的な情報保持を行うことができ、システムの簡素化を実現することができるという効果を奏する。
【００７２】
また、請求項７の発明によれば、制御手段が、照合モード設定時に、暗証番号の入力有無あるいは暗証番号の間違い有無あるいは間違い回数によって報知方法、報知内容あるいは報知量を変化させるようにしているので、居住者は、暗証番号を知らない訪問者の訪問状態を把握することができるという効果を奏する。
【００７３】
また、請求項８の発明によれば、設定手段によって設定されるモードに居留守モードを設け、制御手段が、全ての呼出に対して強制的に応答させない制御を行うようにしているので、居住者は訪問者全ての呼出を遮断した環境を設定することができ、柔軟なモード設定が可能になるという効果を奏する。
【図面の簡単な説明】
【図１】この発明の実施の形態１である集合住宅インターホン装置の構成を示すブロック図である。
【図２】この発明の実施の形態２である集合住宅インターホン装置の構成を示すブロック図である。
【図３】この発明の実施の形態３である集合住宅インターホン装置の構成を示すブロック図である。
【図４】この発明の実施の形態３である集合住宅インターホン装置の変形例の構成を示すブロック図である。
【符号の説明】
１  集合玄関機
２−１〜２−ｎ  インターホン
１０，２０  制御部
１０ａ  案内制御部
１１，２１  通信Ｉ／Ｆ部
１２，２２  入力部
１３  スピーカ
１４  マイク
１５  画像撮像部
１６  案内情報保持部
２２ａ  設定部
２３  ハンドセット
２５  モニタ
２６  発光部
２７  設定保持部
２７ａ  タイムアウト時間
２７ｂ  設定モード
２８  保持部
２８ａ  戸番号
２８ｂ  暗証番号
２９  モード処理部
２９ａ  通常モード
２９ｂ  照合モード
２９ｃ  居留守モード
２９ｓ  モード切替部
３０  タイマ
４０  計時部
４７ａ  所定期間
５０，６０  情報保持部
Ｎ，Ｎ１，Ｎ２  通信線
【図１】
0003875585.tif 000002
【図２】
0003875585.tif 000003
【図３】
0003875585.tif 000004
【図４】
0003875585.tif 000005